【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
遊技媒体を投入する投入口と、
前記投入口から投入された遊技媒体を検出する遊技媒体検出手段と、を備え、
前記遊技媒体検出手段は、
前記遊技媒体が通過する通路となる遊技媒体通過部と、
前記通路を通過する物体である通過物体を撮像する撮像手段と、
前記撮像手段を介して得られた画像データに基づいた画像処理を行うことにより、前記遊技媒体が正規のものであるか否かを判定する遊技媒体判定手段と、を含み、
前記遊技媒体判定手段は、
前記画像データに基づいて、前記遊技媒体の特徴を示す特徴画像を生成する特徴画像生成手段と、
前記特徴画像に基づいて、前記画像データに含まれる遊技媒体の画像に対応する遊技媒体が正規のものであるか否かを判定する判定手段と、を備え、
前記特徴画像生成手段は、
前記画像データに基づいて、前記遊技媒体の画像が含まれる第１画像を生成する第１画像生成部と、
前記第１画像を回転して得られる複数の回転画像を合成した回転合成画像の少なくとも一部を、前記特徴画像として生成する第２画像生成部と、を有し、
前記第１画像生成部は、
前記画像データから遊技媒体領域を抽出する抽出部と、
前記抽出部が抽出した前記遊技媒体領域から前記第１画像を生成する画像生成部と、を有し、
前記判定手段は、前記特徴画像と、正規の遊技媒体の特徴を示すテンプレート特徴画像とを比較し、その比較結果に基づいて、前記特徴画像に係る遊技媒体が正規のものであるか否かを判定し、
前記テンプレート特徴画像は、複数の標準特徴画像を合成した合成画像の少なくとも一部であって、
それぞれの前記標準特徴画像は、対応する正規の遊技媒体の画像を回転して得られる複数の回転画像を合成した回転合成画像の少なくとも一部であることを特徴とする遊技機。
【請求項２】
前記抽出部は、遊技媒体の外形を示す外形テンプレートとのテンプレートマッチングを行うことによって前記遊技媒体領域を抽出し、
前記画像生成部は、前記遊技媒体領域をエッジ検出することで前記第１画像を生成することを特徴とする請求項１に記載の遊技機。
【請求項３】
遊技媒体が通過する通路となる遊技媒体通過部と、
前記通路を通過する物体である通過物体を撮像する撮像手段と、
前記撮像手段を介して得られた画像データに基づいた画像処理を行うことにより、前記遊技媒体が正規のものであるか否かを判定する遊技媒体判定手段と、を含み、
前記遊技媒体判定手段は、
前記画像データに基づいて、前記遊技媒体の特徴を示す特徴画像を生成する特徴画像生成手段と、
前記特徴画像に基づいて、前記画像データに含まれる遊技媒体の画像に対応する遊技媒体が正規のものであるか否かを判定する判定手段と、を備え、
前記特徴画像生成手段は、
前記画像データに基づいて、前記遊技媒体の画像が含まれる第１画像を生成する第１画像生成部と、
前記第１画像を回転して得られる複数の回転画像を合成した回転合成画像の少なくとも一部を、前記特徴画像として生成する第２画像生成部と、を有し、
前記第１画像生成部は、
前記画像データから遊技媒体領域を抽出する抽出部と、
前記抽出部が抽出した前記遊技媒体領域から前記第１画像を生成する画像生成部と、を有し、
前記判定手段は、前記特徴画像と、正規の遊技媒体の特徴を示すテンプレート特徴画像とを比較し、その比較結果に基づいて、前記特徴画像に係る遊技媒体が正規のものであるか否かを判定し、
前記テンプレート特徴画像は、複数の標準特徴画像を合成した合成画像の少なくとも一部であって、
それぞれの前記標準特徴画像は、対応する正規の遊技媒体の画像を回転して得られる複数の回転画像を合成した回転合成画像の少なくとも一部であることを特徴とする遊技媒体判別装置。
【手続補正２】
【補正対象書類名】明細書
【補正対象項目名】００１４
【補正方法】変更
【補正の内容】
【００１４】
本発明の第１の実施態様に係る発明は、下記の構成を有する。
遊技媒体（例えば、メダル５１０）を投入する投入口（例えば、メダル投入口２１）と、
前記投入口から投入された遊技媒体を検出する遊技媒体検出手段（例えば、カメラユニット５０９を含むメダルセレクタ５０１）と、を備える遊技機であって、
前記遊技媒体検出手段は、
前記遊技媒体が通過する通路となる遊技媒体通過部（例えば、メダルレール５１１）と、
前記通路を通過する物体である通過物体を撮像する撮像手段（例えば、カメラユニット５０９に含まれるＣＭＯＳイメージセンサ等からなる手段）と、
前記撮像手段を介して得られた画像データ（例えば、撮像画像５６２Ｂ）に基づいた画像処理を行うことにより、前記遊技媒体が正規のものであるか否かを判定する遊技媒体判定手段（例えば、カメラユニット５０９に含まれる制御ＬＳＩ）と、を含み、
前記遊技媒体判定手段は、
前記画像データに基づいて、前記遊技媒体の特徴を示す特徴画像（例えば、特徴画像３６２Ｃ）を生成する特徴画像生成手段（例えば、特徴画像生成部３６４）と、
前記特徴画像に基づいて、前記画像データに含まれる遊技媒体の画像に対応する遊技媒体が正規のものであるか否かを判定する判定手段（例えば、判定部３６５）と、を備え、
前記特徴画像生成手段は、
前記画像データに基づいて、前記遊技媒体の画像が含まれる第１画像（例えば、第１画像３７４）を生成する第１画像生成部（例えば、第１画像生成部３７０）と、
前記第１画像を回転して得られる複数の回転画像を合成した回転合成画像の少なくとも一部を、前記特徴画像として生成する第２画像生成部（例えば、第２画像生成部３８０）と、を有し、
前記第１画像生成部は、
前記画像データから遊技媒体領域を抽出する抽出部（例えば、抽出部３７１）と、
前記抽出部が抽出した前記遊技媒体領域から前記第１画像を生成する画像生成部（例えば、エッジ画像生成部３７２）と、を有し、
前記判定手段は、前記特徴画像と、正規の遊技媒体の特徴を示すテンプレート特徴画像（例えば、テンプレートデータ３６７（合成画像３８２））とを比較し、その比較結果に基づいて、前記特徴画像に係る遊技媒体が正規のものであるか否かを判定し、
前記テンプレート特徴画像は、複数の標準特徴画像を合成した合成画像の少なくとも一部であって、
それぞれの前記標準特徴画像は、対応する正規の遊技媒体の画像を回転して得られる複数の回転画像を合成した回転合成画像の少なくとも一部であるように構成される。
【手続補正３】
【補正対象書類名】明細書
【補正対象項目名】００１５
【補正方法】変更
【補正の内容】
【００１５】
本発明のこのような構成によって、撮像手段を介して得られた画像データに基づいて第１画像が生成され、その第１画像を回転した回転画像を合成することによって特徴画像（第２画像）が生成され、このような特徴画像とテンプレート特徴画像を比較することにより、遊技媒体が正規のものであるか否かを判定する。このようなテンプレート特徴画像が用いられるため、遊技媒体の真贋を簡易かつ正確に判定することができる。また、このような特徴画像を用いることによって、撮像手段がメダルをどのような角度で撮像しても、有効な正規メダル判別処理を行うことができる。
【手続補正４】
【補正対象書類名】明細書
【補正対象項目名】００１６
【補正方法】変更
【補正の内容】
【００１６】
本発明の第２の実施態様に係る発明は、第１の実施態様において下記の構成を有する。
前記抽出部は、遊技媒体の外形を示す外形テンプレート（例えば、外形テンプレート３７７）とのテンプレートマッチングを行うことによって前記遊技媒体領域を抽出し、
前記画像生成部は、前記遊技媒体領域をエッジ検出することで前記第１画像を生成するように構成される。
【手続補正５】
【補正対象書類名】明細書
【補正対象項目名】００１７
【補正方法】変更
【補正の内容】
【００１７】
本発明の第３の実施態様に係る発明は、下記の構成を有する。
遊技媒体が通過する通路となる遊技媒体通過部と、
前記通路を通過する物体である通過物体を撮像する撮像手段と、
前記撮像手段を介して得られた画像データに基づいた画像処理を行うことにより、前記遊技媒体が正規のものであるか否かを判定する遊技媒体判定手段と、を含む遊技媒体判別装置（例えば、メダルセレクタ５０１）であって、
前記遊技媒体判定手段は、
前記画像データに基づいて、前記遊技媒体の特徴を示す特徴画像を生成する特徴画像生成手段と、
前記特徴画像に基づいて、前記画像データに含まれる遊技媒体の画像に対応する遊技媒体が正規のものであるか否かを判定する判定手段と、を備え、
前記特徴画像生成手段は、
前記画像データに基づいて、前記遊技媒体の画像が含まれる第１画像を生成する第１画像生成部と、
前記第１画像を回転して得られる複数の回転画像を合成した回転合成画像の少なくとも一部を、前記特徴画像として生成する第２画像生成部と、を有し、
前記第１画像生成部は、
前記画像データから遊技媒体領域を抽出する抽出部と、
前記抽出部が抽出した前記遊技媒体領域から前記第１画像を生成する画像生成部と、を有し、
前記判定手段は、前記特徴画像と、正規の遊技媒体の特徴を示すテンプレート特徴画像とを比較し、その比較結果に基づいて、前記特徴画像に係る遊技媒体が正規のものであるか否かを判定し、
前記テンプレート特徴画像は、複数の標準特徴画像を合成した合成画像の少なくとも一部であって、
それぞれの前記標準特徴画像は、対応する正規の遊技媒体の画像を回転して得られる複数の回転画像を合成した回転合成画像の少なくとも一部であるように構成される。
【手続補正６】
【補正対象書類名】明細書
【補正対象項目名】００１８
【補正方法】変更
【補正の内容】
【００１８】
本発明のこのような構成によって、撮像手段を介して得られた画像データに基づいて第１画像が生成され、その第１画像を回転した回転画像を合成することによって特徴画像（第２画像）が生成され、このような特徴画像とテンプレート特徴画像を比較することにより、遊技媒体が正規のものであるか否かを判定する。このようなテンプレート特徴画像が用いられるため、遊技媒体の真贋を簡易かつ正確に判定することができる。また、このような特徴画像を用いることによって、撮像手段がメダルをどのような角度で撮像しても、有効な正規メダル判別処理を行うことができる。